【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
特定の移動端末と、基地局と、前記移動端末による前記基地局へのアクセスおよび前記移動端末の位置を追跡するためのトラッキングエリアを管理する基地局制御装置とを含む移動体通信システムにおいて実行される通信方法であって、
前記移動端末から、前記移動端末によって手動で選択された前記基地局を経由して前記基地局制御装置に、トラッキングエリアの更新を要求する工程と、
前記基地局制御装置において、前記移動端末による前記基地局へのアクセスが許可されているかどうかをチェックする工程と、
前記移動端末による前記基地局へのアクセスが許可されていない場合に、前記基地局制御装置から前記基地局を経由して前記移動端末に、トラッキングエリアの更新を拒否する工程とを含むことを特徴とする通信方法。
【請求項２】
特定の移動端末と、基地局と、前記移動端末による前記基地局へのアクセスおよび前記移動端末の位置を追跡するためのトラッキングエリアを管理する基地局制御装置とを含む移動体通信システムであって、
前記移動端末は、
前記移動端末によって手動で選択された前記基地局を経由して前記基地局制御装置に、トラッキングエリアの更新を要求する要求手段を備え、
前記基地局制御装置は、
前記移動端末による前記基地局へのアクセスが許可されているかどうかをチェックするチェック手段と、
前記移動端末による前記基地局へのアクセスが許可されていない場合に、前記基地局を経由して前記移動端末に、トラッキングエリアの更新を拒否する拒否手段とを備えたことを特徴とする移動体通信システム。
【請求項３】
特定の移動端末と、基地局と、前記移動端末による前記基地局へのアクセスおよび前記移動端末の位置を追跡するためのトラッキングエリアを管理する基地局制御装置とを含む移動体通信システムにおける移動端末であって、
前記移動端末によって手動で選択された前記基地局を経由して前記基地局制御装置に、トラッキングエリアの更新を要求する要求手段を備えたとことを特徴とする移動端末。
【請求項４】
特定の移動端末と、基地局と、前記移動端末による前記基地局へのアクセスおよび前記移動端末の位置を追跡するためのトラッキングエリアを管理する基地局制御装置とを含む移動体通信システムにおける基地局制御装置であって、
前記移動端末によって手動で選択された前記基地局を経由してトラッキングエリアの更新が要求された場合に、前記移動端末による前記基地局へのアクセスが許可されているかどうかをチェックするチェック手段と、
前記移動端末による前記基地局へのアクセスが許可されていない場合に、前記基地局を経由して前記移動端末に、トラッキングエリアの更新を拒否する拒否手段とを備えたことを特徴とする基地局制御装置。
【手続補正２】
【補正対象書類名】明細書
【補正対象項目名】００２３
【補正方法】変更
【補正の内容】
【００２３】
本発明にかかる通信方法は、特定の移動端末と、基地局と、移動端末による基地局へのアクセスおよび移動端末の位置を追跡するためのトラッキングエリアを管理する基地局制御装置とを含む移動体通信システムにおいて実行される通信方法であって、移動端末から、移動端末によって手動で選択された基地局を経由して基地局制御装置に、トラッキングエリアの更新を要求する工程と、基地局制御装置において、移動端末による基地局へのアクセスが許可されているかどうかをチェックする工程と、移動端末による基地局へのアクセスが許可されていない場合に、基地局制御装置から基地局を経由して移動端末に、トラッキングエリアの更新を拒否する工程とを含むものである。
【手続補正３】
【補正対象書類名】明細書
【補正対象項目名】００２４
【補正方法】変更
【補正の内容】
【００２４】
本発明にかかる移動体通信システムは、特定の移動端末と、基地局と、移動端末による基地局へのアクセスおよび移動端末の位置を追跡するためのトラッキングエリアを管理する基地局制御装置とを含む移動体通信システムであって、移動端末は、移動端末によって手動で選択された基地局を経由して基地局制御装置に、トラッキングエリアの更新を要求する要求手段を備え、基地局制御装置は、移動端末による基地局へのアクセスが許可されているかどうかをチェックするチェック手段と、移動端末による基地局へのアクセスが許可されていない場合に、基地局を経由して移動端末に、トラッキングエリアの更新を拒否する拒否手段とを備えたものである。
【手続補正４】
【補正対象書類名】明細書
【補正対象項目名】００２５
【補正方法】変更
【補正の内容】
【００２５】
本発明にかかる移動端末は、特定の移動端末と、基地局と、移動端末による基地局へのアクセスおよび移動端末の位置を追跡するためのトラッキングエリアを管理する基地局制御装置とを含む移動体通信システムにおける移動端末であって、移動端末によって手動で選択された基地局を経由して基地局制御装置に、トラッキングエリアの更新を要求する要求手段を備えたものである。
【手続補正５】
【補正対象書類名】明細書
【補正対象項目名】００２６
【補正方法】変更
【補正の内容】
【００２６】
本発明にかかる基地局制御装置は、特定の移動端末と、基地局と、移動端末による基地局へのアクセスおよび移動端末の位置を追跡するためのトラッキングエリアを管理する基地局制御装置とを含む移動体通信システムにおける基地局制御装置であって、移動端末によって手動で選択された基地局を経由してトラッキングエリアの更新が要求された場合に、移動端末による基地局へのアクセスが許可されているかどうかをチェックするチェック手段と、移動端末による基地局へのアクセスが許可されていない場合に、基地局を経由して移動端末に、トラッキングエリアの更新を拒否する拒否手段とを備えたものである。
【手続補正６】
【補正対象書類名】明細書
【補正対象項目名】００２７
【補正方法】変更
【補正の内容】
【００２７】
本発明にかかる通信方法は、特定の移動端末と、基地局と、移動端末による基地局へのアクセスおよび移動端末の位置を追跡するためのトラッキングエリアを管理する基地局制御装置とを含む移動体通信システムにおいて実行される。移動端末から、移動端末によって手動で選択された基地局を経由して基地局制御装置に、トラッキングエリアの更新が要求される。基地局制御装置において、移動端末による基地局へのアクセスが許可されているかどうかがチェックされる。移動端末による基地局へのアクセスが許可されていない場合、基地局制御装置から基地局を経由して移動端末に、トラッキングエリアの更新が拒否される。これによって、移動端末は、アクセスが許可された特定加入者用セルのリストを入手することが可能となる。
【手続補正７】
【補正対象書類名】明細書
【補正対象項目名】００２８
【補正方法】変更
【補正の内容】
【００２８】
本発明にかかる移動体通信システムは、特定の移動端末と、基地局と、移動端末による基地局へのアクセスおよび移動端末の位置を追跡するためのトラッキングエリアを管理する基地局制御装置とを含む。移動端末は、要求手段を備える。基地局制御装置は、チェック手段と、拒否手段とを備える。移動端末の要求手段は、移動端末によって手動で選択された基地局を経由して基地局制御装置に、トラッキングエリアの更新を要求する。基地局制御装置のチェック手段は、移動端末による基地局へのアクセスが許可されているかどうかをチェックする。拒否手段は、移動端末による基地局へのアクセスが許可されていない場合に、基地局を経由して移動端末に、トラッキングエリアの更新を拒否する。これによって、移動端末は、アクセスが許可された特定加入者用セルのリストを入手することが可能となる。
【手続補正８】
【補正対象書類名】明細書
【補正対象項目名】００２９
【補正方法】変更
【補正の内容】
【００２９】
本発明にかかる移動端末は、特定の移動端末と、基地局と、移動端末による基地局へのアクセスおよび移動端末の位置を追跡するためのトラッキングエリアを管理する基地局制御装置とを含む移動体通信システムにおける移動端末である。移動端末は、要求手段を備える。要求手段は、移動端末によって手動で選択された基地局を経由して基地局制御装置に、トラッキングエリアの更新を要求する。これによって、移動端末は、アクセスが許可された特定加入者用セルのリストを入手することが可能となる。
【手続補正９】
【補正対象書類名】明細書
【補正対象項目名】００３０
【補正方法】変更
【補正の内容】
【００３０】
本発明にかかる基地局制御装置は、特定の移動端末と、基地局と、移動端末による基地局へのアクセスおよび移動端末の位置を追跡するためのトラッキングエリアを管理する基地局制御装置とを含む移動体通信システムにおける基地局制御装置である。基地局制御装置は、チェック手段と、拒否手段とを備える。チェック手段は、移動端末によって手動で選択された基地局を経由してトラッキングエリアの更新が要求された場合に、移動端末による基地局へのアクセスが許可されているかどうかをチェックする。拒否手段は、移動端末による基地局へのアクセスが許可されていない場合に、基地局を経由して移動端末に、トラッキングエリアの更新を拒否する。これによって、移動端末は、アクセスが許可された特定加入者用セルのリストを入手することが可能となる。